(57)【要約】ストラップ調整器は、第１の表面と、第１の表面と反対側の第２の表面と、第１の表面と第２の表面との間に延在する第３の表面と、を備えてもよい。第１の表面内の第１の開口部は、ストラップ調整器を完全に通って第１の表面と第２の表面との間に延在してもよい。第１の表面内の第２の開口部は、ストラップ調整器を完全にではないが部分的に通って延在してもよい。バーが、第１の開口部と第２の開口部との間の第１の表面に配置されてもよい。第３の表面内の第３の開口部は、ストラップ調整器を完全にではないが部分的に通って延在し、第２の開口部と接合してもよい。少なくとも１つのストラップが、第３の開口部を部分的に通って配置されてもよく、少なくとも１つのストラップは、第３の開口部の高さを上回る非圧迫厚さを備えてもよい。
2017509397.tif 000002
【特許請求の範囲】
【請求項１】
ワンピース型ストラップ調整器であって、
第１の表面と、
前記第１の表面の反対側の第２の表面と、
前記第１の表面と前記第２の表面との間に延在する第３の表面と、
前記ストラップ調整器を完全に通って前記第１の表面と前記第２の表面との間に延在する、前記第１の表面内の第１の開口部と、
前記ストラップ調整器を完全にではないが部分的に通って延在する、前記第１の表面内の第２の開口部と、
前記第１の開口部と前記第２の開口部との間の前記第１の表面におけるバーと、
前記ストラップ調整器を完全にではないが部分的に通って延在し、前記第２の開口部と接合する、前記第３の表面内の第３の開口部と、
前記第３の開口部の高さを上回る非圧迫厚さを備える、前記第３の開口部を部分的に通って配置される少なくとも１つのストラップと、を備える、ワンピース型ストラップ調整器。
【請求項２】
前記第３の開口部が、前記少なくとも１つのストラップの長さに沿った張力が低減されるときに、前記少なくとも１つのストラップが前記第３の開口部から滑落することを阻止するように前記少なくとも１つのストラップを圧迫する、請求項１に記載のストラップ調整器。
【請求項３】
前記バーが、前記バーと前記少なくとも１つのストラップとの間の摩擦又は抵抗を増加させるためにテクスチャ加工された表面を備える、請求項１に記載のストラップ調整器。
【請求項４】
前記第２の開口部が、前記第３の開口部と交わり、前記少なくとも１つのストラップが中に配置され得る隙間を提供し、
前記少なくとも１つのストラップが、前記第３の開口部を通って前記隙間を出る前に前記隙間内で方向を変える、請求項１に記載のストラップ調整器。
【請求項５】
前記第２の表面が、前記第１の開口部に対して１８０度未満の夾角を備える、請求項１に記載のストラップ調整器。
【請求項６】
前記第３の表面が、前記第１の表面又は前記第２の表面に実質的に垂直である、請求項１に記載のストラップ調整器。
【請求項７】
単一プラスチックピースの前記ストラップ調整器を成形することを含む、請求項１に記載のストラップ調整器を作製する方法。
【請求項８】
ワンピース型ストラップ調整器であって、
第１の表面と、
前記第１の表面の反対側の第２の表面と、
前記第１の表面と前記第２の表面との間に延在する第３の表面と、
前記ストラップ調整器を完全に通って前記第１の表面と前記第２の表面との間に延在する、前記第１の表面内の第１の開口部と、
前記ストラップ調整器を完全にではないが部分的に通って延在する、前記第１の表面内の第２の開口部と、
前記ストラップ調整器を完全にではないが部分的に通って延在し、前記第２の開口部と接合する、前記第３の表面内の第３の開口部と、を備える、ワンピース型ストラップ調整器
【請求項９】
前記第１の開口部と前記第２の開口部との間の前記第１の表面におけるバーであって、前記ストラップ調整器と前記バーを通り過ぎるストラップとの間の摩擦又は抵抗を増加させるためのテクスチャ加工された表面を備える、バーを更に備える、請求項８に記載のストラップ調整器。
【請求項１０】
前記第２の開口部が、前記第３の開口部と交わり、ストラップが中に配置され得る隙間を提供し、
前記ストラップが、前記第３の開口部を通って前記隙間を出る前に前記隙間内で方向を変える、請求項９に記載のストラップ調整器。
【請求項１１】
前記第２の表面が、１８０度未満の夾角を備える、請求項８に記載のストラップ調整器。
【請求項１２】
前記第３の表面が、前記第１の表面又は前記第２の表面に実質的に垂直である、請求項８に記載のストラップ調整器。
【請求項１３】
前記第１の表面が、前記第２の表面に実質的に平行である、請求項８に記載のストラップ調整器。
【請求項１４】
前記第３の開口部を部分的に通って配置される第１のストラップであって、前記第１のストラップの長さが、前記第３の開口部の幅又は前記第３の開口部の高さに実質的に垂直である、第１のストラップと、
前記第１のストラップの上に重ねられる第２のストラップであって、前記第３の開口部を部分的に通って配置され、前記第２のストラップの長さが、前記第３の開口部の幅又は前記第３の開口部の高さに実質的に垂直である、第２のストラップと、
前記第１のストラップ及び前記第２のストラップの非圧迫厚さ未満の前記第３の開口部の高さと、を更に備える、請求項８に記載のストラップ調整器。
【請求項１５】
前記第３の開口部の高さが、前記第１のストラップ及び前記第２のストラップの圧迫厚さと同等であり、
前記第３の開口部が、前記第１のストラップ又は前記第２のストラップの長さに沿った張力が低減されるときに、前記第１のストラップ及び前記第２のストラップが前記第３の開口部を通って滑落することを阻止するように前記第１のストラップ及び前記第２のストラップを圧迫する、請求項１１に記載のストラップ調整器。
【請求項１６】
単一プラスチックピースの前記ストラップ調整器を成形することを含む、請求項８に記載のストラップ調整器を作製する方法。
【請求項１７】
ワンピース型ストラップ調整器であって、
前記ストラップ調整器を完全に通って第１の表面と反対側の第２の表面との間に延在する第１の隙間と、
前記ストラップ調整器を完全にではないが部分的に通って延在する第２の隙間と、を備える、ワンピース型ストラップ調整器。
【請求項１８】
前記第２の隙間が、前記第１の表面と前記第２の表面との間に角度付けられる、請求項１７に記載のストラップ調整器。
【請求項１９】
前記第２の隙間が、前記第１の表面に第２の開口部と、前記第１の表面と前記第２の表面との間に延在する第３の表面に第３の開口部と、を備える、請求項１７に記載のストラップ調整器。
【請求項２０】
第３の表面が、前記第１の表面又は前記第２の表面に垂直である、請求項１７に記載のストラップ調整器。
【発明の詳細な説明】
【技術分野】
【０００１】
（関連出願の相互参照）
本出願は、「Ｎｏ  Ｓｌｉｐ  １−Ｐｉｅｃｅ  Ａｄｊｕｓｔｏｒ」と題される２０１４年３月２８日出願の米国仮特許出願第６１／９７２，０９６号の利益を主張するものであり、その開示の全体は、参照により組み込まれる。
【０００２】
（発明の分野）
本開示は、ストラップ調整に使用するための滑動防止ワンピース型ストラップ調整器に関する。滑動防止調整器は、保護用ヘルメットを使用者の頭部に取り外し可能に取着するため等、従来のストラップ調整器が使用されるあらゆる状況を含む多種多様な用途でストラップに用いられ得る。
【背景技術】
【０００３】
本開示は、ストラップ調整器、並びにストラップを含み、ストラップの調整を含む、装置、製品、及び品物に関する。ストラップを使用する装置には、ヘルメット等の保護具、又は調整を必要とするストラップを含む他の物品及び装置を含み得る。ストラップを調整することで、ストラップの有効長さを増加若しくは減少させること、異なる角度から２つ以上のストラップを一つにまとめること、並びに装置又は使用者へのストラップの適合度をカスタマイズすることができる。ストラップの長さ又は配向の調整は、ストラップ、保護具、ヘルメット、又は他の物品と顧客との間の適合性の改善を可能にすることができる。
【０００４】
図１Ａは、先行技術で既知の従来のワンピース型ストラップ調整器１０の上面図を示す。従来のワンピース型ストラップ調整器１０は、ストラップ摺動部又は摺動繋止ストラップ調整器とも称されている。従来のワンピース型ストラップ調整器１０は、第１の開口部１２及び第２の開口部１４を含んでもよく、その各々は、従来のワンピース型ストラップ調整器内に、かつそれを貫通して形成され、第１の表面から第１の表面の反対側の第２の表面に延在する。第１の開口部１２及び第２の開口部１４は、単一材料によって一体に形成されてもよく、このため、従来のワンピース型ストラップ調整器１０はワンピース型装置となる。第１の開口部１２及び第２の開口部１４は、外周部分１６及び中心バー１８によって画定されると考えることができる。外周部分１６は、中心バー１８に垂直若しくは実質的に垂直である側部レール又は側部２０によって画定されると考えることができる。外周部分１６は、側部レール２０に垂直若しくは実質的に垂直である上部レール２２及び下部レール２４によって画定されると考えることができ、又は言い換えると、上部レール２２及び下部レール２４は、中心バー１８に平行若しくは実質的に平行であり得る。
【０００５】
第１の開口部１２及び第２の開口部１４の幅は、第１の開口部１２及び第２の開口部１４を通って配置されるストラップの幅よりも大きい、又は若干大きい幅を含み得る。同様に、第１の開口部１２及び第２の開口部１４の高さは、第１の開口部１２及び第２の開口部１４を通って配置されるストラップの厚さよりも大きい、又は若干大きい高さを含み得る。図１Ｂは、第１のストラップ２０及び第２のストラップ２２が従来のワンピース型ストラップ調整器１０にどのように通され得るかの一例を示す。
【０００６】
図１Ｂは、第１のストラップ２６及び第２のストラップ２８が、第１の開口部１２と第２の開口部１４との間を通って挿入され、それらの間に延在する従来のワンピース型ストラップ調整器１０の側面斜視図を示す。図１Ｂの右側に示されるように、第１のストラップ２６及び第２のストラップ２８は、異なる位置又は角度から従来のワンピース型ストラップ調整器１０に、例えば、取着ポイントからヘルメット又は他の装置に入る。従来のワンピース型ストラップ調整器１０で、又はその近くで、第１のストラップ２６及び第２のストラップ２８は接合され得るか、又は各々の上に重ねられ得る。図１Ｂの左側で従来のワンピース型ストラップ調整器１０を出ると、第１のストラップ２６及び第２のストラップ２８は、同じ若しくは類似の角度又は方向でワンピース型調整器から離れてもよい。
【０００７】
図１Ａ及び１Ｂに示される従来のワンピース型ストラップ調整器１０に加えて、他の調整器を使用して、ストラップを受容し、方向付けることもできる。これらの他の調整器は、ピン留めされる、蝶着される、又は移動可能に一緒に連結される、互いに対して移動することができる多数のピースを有する調整器を含む。マルチピース型調整器の一例は、２つのストラップがツーピース型調整器の相対する第１の側と第２の側から通過することを可能にするツーピース型調整器であり、第１のストラップ２６及び第２のストラップ２８は、ストラップを互いに、及びツーピース型調整器にしっかりと連結するための、２つのストラップの周りに一緒に挟持される調整器の２つの別個であるが、取着可能な部品によって一緒に保持されるだろう。
【発明の概要】
【課題を解決するための手段】
【０００８】
ストラップ調整器が必要とされている。したがって、一態様では、ワンピース型ストラップ調整器は、第１の表面と、第１の表面と反対側の第２の表面と、第１の表面と第２の表面との間に延在する第３の表面と、を備えてもよい。第１の開口部は、第１の表面内に形成されてもよく、第１の開口部は、ストラップ調整器を完全に通って第１の表面と第２の表面との間に延在する。第２の開口部は、第１の表面内に形成されてもよく、ストラップ調整器を完全にではないが部分的に通って延在する。バーが、第１の開口部と第２の開口部との間の第１の表面に配置されてもよい。第３の開口部は、第３の表面内に形成されてもよく、ストラップ調整器を完全にではないが部分的に通って延在し、第２の開口部と接合してもよい。少なくとも１つのストラップは、第３の開口部を部分的に通って配置されてもよく、少なくとも１つのストラップは、第３の開口部の高さを上回る非圧迫厚さを備える。
【０００９】
ストラップ調整器は、少なくとも１つのストラップの長さに沿った張力が低減されたときに、少なくとも１つのストラップが第３の開口部から滑落することを阻止するように、第３の開口部が少なくとも１つのストラップを圧迫するように形成されてもよい。バーは、バーと少なくとも１つのストラップとの間の摩擦又は抵抗を増加させるためにテクスチャ加工された表面を備えてもよい。第２の開口部は、第３の開口部と交わり、少なくとも１つのストラップが中に配置され得る隙間を提供してもよく、少なくとも１つのストラップは、第３の開口部を通って隙間を出る前に隙間内で方向を変えることができる。第２の表面は、第１の開口部に対して１８０度未満の夾角を備えてもよい。第３の表面は、第１の表面又は第２の表面に実質的に垂直であってもよい。ストラップ調整器を作製する方法は、単一プラスチックピースのストラップ調整器を成形することを含んでもよい。
【００１０】
別の態様では、ワンピース型ストラップ調整器は、第１の表面と、第１の表面と反対側の第２の表面と、第１の表面と第２の表面との間に延在する第３の表面と、を備えてもよい。第１の開口部は、第１の表面内に形成されてもよく、第１の開口部は、ストラップ調整器を完全に通って第１の表面と第２の表面との間に延在する。第２の開口部は、第１の表面内に形成されてもよく、ストラップ調整器を完全にではないが部分的に通って延在する。第３の開口部は、第３の表面内に形成されてもよく、ストラップ調整器を完全にではないが部分的に通って延在し、第２の開口部と接合する。
【００１１】
ワンピース型ストラップ調整器は、第１の開口部と第２の開口部との間の第１の表面にバーを更に備えてもよく、バーは、ストラップ調整器とバーを通り過ぎるストラップとの間の摩擦又は抵抗を増加させるためのテクスチャ加工された表面を備える。ストラップ調整器は、第２の開口部が、第３の開口部と交わり、ストラップがその中に配置され得る隙間を提供し、ストラップが、第３の開口部を通って隙間を出る前に隙間内で方向を変えることができるように形成されてもよい。第２の表面は、１８０度未満の夾角を備えてもよい。第３の表面は、第１の表面又は第２の表面に実質的に垂直であってもよい。第１の表面は、第２の表面に実質的に平行であってもよい。第１のストラップは、第１のストラップの長さを第３の開口部の幅又は前記第３の開口部の高さに実質的に垂直にした状態で第３の開口部を部分的に通って配置されてもよく、第２のストラップは、第１のストラップの上に重ねられてもよく、第２のストラップは、第２のストラップの長さを第３の開口部の幅又は第３の開口部の高さに実質的に垂直にした状態で第３の開口部を部分的に通って配置され、第３の開口部の高さは、第１のストラップ及び第２のストラップの非圧迫厚さ未満である。第３の開口部の高さは、第１のストラップ及び第２のストラップの圧迫厚さと同等であり、第３の開口部は、第１のストラップ又は第２のストラップの長さに沿った張力が低減されるときに、第１のストラップ及び第２のストラップが第３の開口部を通って滑落することを阻止するように第１のストラップ及び第２のストラップを圧迫することができる。単一プラスチックピースのストラップ調整器を成形することを含む、ワンピース型ストラップ調整器を作製する方法。
【００１２】
別の態様では、ワンピース型ストラップ調整器は、ストラップ調整器を完全に通って第１の表面と反対側の第２の表面との間に延在する第１の隙間と、ストラップ調整器を完全にではないが部分的に通って延在する第２の隙間とを更に備えてもよい。
【００１３】
ワンピース型ストラップ調整器は、第１の表面と第２の表面との間に角度付けられる第２の隙間を更に備えてもよい。第２の隙間は、第１の表面に第２の開口部と、第１の表面と第２の表面との間に延在する第３の表面に第３の開口部と、を更に備えてもよい。第３の表面は、第１の表面又は第２の表面に垂直であってもよい。
【図面の簡単な説明】
【００１４】
【図１Ａ】ストラップ摺動部、摺動繋止ストラップ調整器、又は先行技術において既知の従来のワンピース型ストラップ調整器の図を示す。
【図１Ｂ】ストラップ摺動部、摺動繋止ストラップ調整器、又は先行技術において既知の従来のワンピース型ストラップ調整器の図を示す。
【図２Ａ】滑動防止ワンピース型ストラップ調整器の実施形態の種々の図を示す。
【図２Ｂ】滑動防止ワンピース型ストラップ調整器の実施形態の種々の図を示す。
【図２Ｃ】滑動防止ワンピース型ストラップ調整器の実施形態の種々の図を示す。
【図２Ｄ】滑動防止ワンピース型ストラップ調整器の実施形態の種々の図を示す。
【図２Ｅ】滑動防止ワンピース型ストラップ調整器の実施形態の種々の図を示す。
【図２Ｆ】滑動防止ワンピース型ストラップ調整器の実施形態の種々の図を示す。
【図３Ａ】滑動防止ワンピース型ストラップ調整器の別の実施形態の種々の図を示す。
【図３Ｂ】滑動防止ワンピース型ストラップ調整器の別の実施形態の種々の図を示す。
【図３Ｃ】滑動防止ワンピース型ストラップ調整器の別の実施形態の種々の図を示す。
【図３Ｄ】滑動防止ワンピース型ストラップ調整器の別の実施形態の種々の図を示す。
【図３Ｅ】滑動防止ワンピース型ストラップ調整器の別の実施形態の種々の図を示す。
【図４Ａ】滑動防止ワンピース型ストラップ調整器の別の実施形態の種々の図を示す。
【図４Ｂ】滑動防止ワンピース型ストラップ調整器の別の実施形態の種々の図を示す。
【図４Ｃ】滑動防止ワンピース型ストラップ調整器の別の実施形態の種々の図を示す。
【図４Ｄ】滑動防止ワンピース型ストラップ調整器の別の実施形態の種々の図を示す。
【図４Ｅ】滑動防止ワンピース型ストラップ調整器の別の実施形態の種々の図を示す。
【発明を実施するための形態】
【００１５】
本開示、その態様、及び実現例は、本明細書に開示される特定のヘルメット、ストラップ、若しくはストラップ調整器の材料タイプ、又は他のシステム構成要素例、又は方法に限定されない。ヘルメット製造にふさわしい、当該技術分野において既知の多くの追加の構成要素、製造、及び組み立て手順を、本開示の特定の実現例と共に使用することが企図される。したがって、例えば、特定の実現例が開示されるが、このような実現例及び実施構成要素は、意図される動作にふさわしい、このようなシステム及び実施構成要素のための、当該技術分野において既知の任意の構成要素、モデル、種類、材料、バージョン、数量などを含み得る。
【００１６】
用語「代表的な」、「実施例」、又はこれらの様々な変形は、実施例、例、又は例示として機能することを意味している。本明細書において「代表的」又は「実施例」として記載される態様又は設計は、他の態様又は設計よりも好ましいか、又は有利であるものと解釈される必要は必ずしもない。更に、実施例は、明瞭性及び理解の目的のためだけに提示されるのであって、開示される主題、又は本開示の関連部分を制限又は制約することを意図するものでは決してない。様々な範囲の無数の追加又は代替の例が提示されているが、簡潔さのため、及び当業者であれば本開示の種々の他の代替例及び本明細書に提供される代替例の広さを理解するため、省略されていることも理解される。
【００１７】
本開示は、多くの異なる形態のいくつかの実施形態を含むが、特定の実施形態が図面に示されており、また本明細書で詳細に記載されるのであって、本開示は、開示される方法及びシステムの原理の具体例としてみなされるべきであり、本開示の概念の広範な態様を、例示される実施形態に限定することは意図されないものと理解される。
【００１８】
本開示は、サイクリスト、フットボール選手、ホッケー選手、野球選手、ラクロス選手、ポロ選手、クライマー、オートレーサー、オートバイのライダー、モトクロスレーサー、スキーヤー、スノーボーダー、又は他の雪上若しくは水上運動選手、スカイダイバー、又は他の任意のスポーツ選手、あるいは他の保護用ヘッドギアを必要とする人のためのヘルメットストラップ等、保護具のためのヘルメットストラップ又はストラップを含む１つ以上のストラップを調整するためのシステム及び方法を提供する。ヘルメットのストラップ調整は、同様のストラップ及びストラップの調整方法が必要とされる建設業、兵士、消防士、パイロット、又は安全ヘルメットを必要とする他の労働者等の保護用の帽子を使用する他の産業を更に含み得る。より広範には、バッグ、バックパック、小型鞄、ゴーグル、眼鏡、スリング、パッド、脛当て、胸当て、若しくは他の衣服を含む他の保護装備、装備、ギア、又は荷物のストラップ調整も企図される。
【００１９】
図２Ａは、ワンピース型調整器又は「調整器」３４を備える使用者３２の頭部に連結されるヘルメット３０の側面図を示す。調整器３４は、調整器３４を通過し、ヘルメット３０の使用者３２の頭部への連結を支援する第１のストラップ３６及び第２のストラップ３８に連結される。図２Ａは、使用者３２の頭部から離れて配向され得る調整器３４の前面又は第１の表面４０も示す。調整器３４は便宜上、滑動防止調整器と称され得るが、多少の滑動又は相対運動は依然として起こり得る。本明細書で使用される場合、調整器３４に関して使用される滑動防止という用語は、調整器３４と第１のストラップ３６及び第２のストラップ３８との間の滑動又は相対運動が、従来のワンピース型ストラップ調整器１０並びに第１のストラップ２６及び第２のストラップ２８に比べて最低限であるか、最小であるか、ごく僅かであるか、又は低減され得ることを意味することができる。以下でより詳細に考察される調整器３４の特定の特徴により、第１のストラップ３６及び第２のストラップ３８は、一定の張力が第１のストラップ３６及び第２のストラップ３８に適用されない場合、従来のワンピース型ストラップ調整器１０並びに第１のストラップ２６及び第２のストラップ２８の場合のように、互いに対して又は調整器３４に対して緩んで動く傾向がない。
【００２０】
図２Ａは、調整器３４が、１つのストラップ、２つのストラップ、複数のストラップ、又は任意の数のストラップ等の１つ以上のストラップを一緒に保持するために使用されてもよく、望ましい若しくは使用者３２に有利な配置、整列、又は位置にストラップを整列させるために更に使用されてもよいことを示す。第１のストラップ３６及び第２のストラップ３８に関連して種々の実施形態が以下で考察されるが、調整器３４は、１つの厚いストラップを含む任意の数のストラップを受容するように構成されてもよい。したがって、「ストラップ」という用語は、本明細書全体を通して便宜上、１つのストラップ又は複数のストラップが使用され得る実施形態を示すために使用される。ストラップの数に関わらず、ストラップは、ロープ、コード、撚り糸、ウェビング、織物、又は織物、プラスチック、樹脂、繊維、ポリマー、若しくは他の好適な材料を含む任意の他の好適な編状の、撚糸状の、織布、圧迫、平面、若しくは積層材料で作製され得る。非限定的な例として、第１のストラップ３６及び第２のストラップ３８は、ナイロンウェビングを含んでもよい。
【００２１】
非限定的な例として、図２Ａは、２つの異なるストラップ、第１のストラップ３６及び第２のストラップ３８がヘルメット３０に取着又は連結され得る実施形態を示す。第１のストラップ３６及び第２のストラップ３８が耳開口部３１で隔てられ得るように、第１のストラップ３６は耳開口部３１の後側又は第１の側面上でヘルメットの後部の方へ取着されてもよく、第２のストラップ３８は耳開口部３１の第２の側面上でヘルメットの前面の方へ取着されてもよい。調整器３４は、調整器３４の前面又は第１の表面４０が使用者３２の頭部から離れて配向されるように配向されてもよい。調整器３４は、第１のストラップ３６及び第２のストラップ３８を調整器３４の上端４２に対して異なる角度で受容するように構成されてもよい。第１のストラップ３６及び第２のストラップ３８は次いで、上端４２の反対側の調整器３４の下端４４で調整器３４から出ることができる。ストラップが下端４４の近くで調整器３４から出る場合、第１のストラップ３６及び第２のストラップ３８は、調整器３４に対して同じ角度で出てもよく、互いの上に重なってもよい。したがって、調整器３４は、ヘルメット３０の異なる部分からストラップを受容し、安全性及び使用者３２の頭部との快適なフィットのためにストラップを単一方向に整列させることができる。したがって、ストラップ調整器３４を使用して、ヘルメット３０を装着している間、ヘルメット３０が使用者３２の頭部に固定されたままであるように、第１のストラップ３６及び第２のストラップ３８を使用者３２の下顎又は顎の下の適所に好適に位置付けて連結するようにヘルメットストラップの長さ、位置、又は整列のうちの１つ以上を調整することができる。
【００２２】
「上」及び「下」という用語は、上端４２及び下端４４に関連して本明細書で使用される場合、説明の便宜上使用される相対的な、非限定的な用語である。上及び下は、調整器の高さに相当し、ｙ方向に含まれる。同様に、幅はｘ方向に相当し、厚さ又は深さはｚ方向に相当し、ｘ方向、ｙ方向、及びｚ方向は全て、互いに垂直又は直交であってもよい。本明細書で使用される場合、調整器３４の「上」側又は上部は、通常の使用時に使用者３２を向いて配置又は配向される調整器の側であってもよい。例えば、調整器３４の上端４２は、調整器３４がヘルメット３０並びに第１のストラップ３６及び第２のストラップ３８と併せて装着されている場合、使用者３２の頭部を向いて配向されてもよい。反対に、本明細書で使用される場合、調整器３４の「下」側又は下部は、通常の使用時に使用者３２から離れて配置される調整器３４の側であってもよい。例えば、調整器３４の下端４４は、使用者３２の頭部から、又は第１のストラップ３６及び第２のストラップ３８がヘルメット３０に取着される場所から、離れて配向されてもよい。しかしながら、上端４２及び下端４４に対する調整器３４の配向、並びにｘ、ｙ、及びｚ方向は、便宜上のものであり、非限定的であり、かつ本開示の範囲から逸脱することなく逆転されるか、又は修正されてもよい。
【００２３】
これから、調整器３４の更なる詳細が図２Ｂ〜２Ｆに関して以下で考察される。図２Ｂは、前面から前面の反対側の背面４８に延在する調整器３４の前面４０及び側面４６を示す拡大斜視図を示す。調整器３４を通過し、調整器３４によって保持される第１のストラップ３６及び第２のストラップ３８が示される。
【００２４】
図２Ｂは、第１のストラップ３６上かつ前面４０寄りに配置される第２のストラップ３８を示すが、第１のストラップ３６及び第２のストラップ３８の相対位置は、使用者の好み又は第１のストラップ３６及び第２のストラップ３８がヘルメット３０にどのように取着されるか等の他の設計考慮に基づいて変更されてもよい。図２Ｂに示されるように、第１のストラップ３６及び第２のストラップ３８の各々は、ストラップの幅Ｗに直交する長さＬを備えてもよい。非限定的な例として、ストラップの長さＬは、第１のストラップ３６及び第２のストラップ３８を調整器３４の上端４２の近くで調整器３４の前面４０内の第１の開口部５０に挿入し、そこを通過させることによって、調整器３４に通されてもよい。第１のストラップ３６及び第２のストラップ３８は、背面４８から第１の開口部５０を通過し、調整器３４の前面４０上に延在することができる。第１のストラップ３６及び第２のストラップ３８は次いで、第１の開口部５０及び第２の開口部５２を分離する接触域又はバー５４を超えてその上に延在することができる。バー５４を通り過ぎた後、第１のストラップ３６及び第２のストラップ３８は次いで、前面４０を通り第２の開口部５２を通って下に延在し、その後、前面４０と背面４８との間に延在する側面４６を通って下端４４の近くで調整器３４を出ることができる。
【００２５】
あるいは、別の実施形態では、調整器３４の構造が逆転されてもよく、その結果、第１のストラップ３６及び第２のストラップ３８が調整器３４に通される順序又は方向も逆転され得る。そのような実施形態では、前面４０及び背面４８に関して本明細書で使用される場合の「前」面及び「背」面は、前及び後ろという用語が説明の便宜上使用される相対的な、非限定的な用語であるため、逆転されてもよい。本明細書で使用される場合、調整器３４の前面４０は、通常の使用時に使用者３２から離れて配置される調整器の側であってもよい。反対に、本明細書で使用される場合、調整器３４の背面４８は、通常の使用時に使用者３２を向いて配置される調整器の側であってもよい。しかしながら、前面４０及び背面４８に関する調整器３４の配向は非限定的であり、本開示の範囲から逸脱することなく逆転されてもよい。
【００２６】
調整器３４の構造が逆転される実施形態を継続すると、第１のストラップ３６及び第２のストラップ３８が前面４０から第１の開口部５０を通過し、調整器３４の背面４８の上に延在することができる。第１のストラップ３６及び第２のストラップ３８は次いで、背面４８を通って形成される第２の開口部の上に延在し、そこを通過して、その後、下端４４の近くで前面４０と背面４８との間に延在する側面４６の第３の開口部５６を通って調整器３４を出ることができる。調整器３４を通る第１のストラップ３６及び第２のストラップ３８の上述の通過パターン及び経路は、図２Ｃに提示される調整器３４の断面図によって更に明らかになる。
【００２７】
図２Ｃは、図２Ｂの調整器３４の断面図を示す。図２Ｃは、第１の開口部５０、第２の開口部５２、及び第３の開口部５６で調整器３４を通される第１のストラップ３６及び第２のストラップ３８を示す。調整器３４の上端４２が図の上に示され、下端４４が図の下に示される。調整器３４の上端４２は、使用者３２によって装着されるときに、概して地面から離れて配置される方向で配向されてもよい。一方、調整器３４の下端４４は、使用者３２によって装着されるときに、概して地面を向かって配置される方向で配向されてもよい。いずれの事象においても、第１の開口部５０と整列して調整器３４に入るときの第１のストラップ３６及び第２のストラップ３８の配向は、第１のストラップ３６及び第２のストラップ３８が第３の開口部５６と整列して調整器３４を出る方向と垂直な、又は実質的に垂直な方向であってもよい。本明細書で使用される場合、実質的に垂直とは、９０度プラス若しくはマイナス３０度以下、プラス若しくはマイナス２０度以下、又はプラス若しくはマイナス１０度以下の相対角度を含んでもよい。この点に関して、調整器３４は、第１のストラップ２６及び第２のストラップ２８が、互いにほぼ等しい又は平行な角度で同じ表面上の開口部から出入りし、互いに対して実質的に垂直ではない従来の調整器１０とは異なる。
【００２８】
図２Ｃに示されるように、調整器３４の前面４０を貫通する第１の開口部５０は、向きを変えず、湾曲せず、角度を付けず、又は屈曲せずに、一直線に、真っすぐに、又は実質的にそのように調整器３４を通って調整器３４の背面４８まで延在し、第１の隙間６０を形成してもよい。このため、第１の隙間６０は、回転部、湾曲部、角度、又は屈曲部を伴わずに、一直線、真っすぐ、若しくは実質的にそのような形状又は容積を備えてもよい。調整器３４の前面４０を貫通する第２の開口部５２は、調整器３４を通って向きを変える、湾曲する、又は角度付ける前に、調整器３４の側面４６を通り抜ける第３の開口部５６まで一直線に、真っすぐに、又は実質的にそのように延在し、第２の隙間６２を形成してもよい。図２Ｃに示されるように、第２の隙間６２は、第１の隙間６０よりも大きくてもよい。前面４０及び側面４６等の隣接する、交わる、若しくは実質的に垂直な調整器３４の表面、側部、又は端部の間に延在するように第２の隙間６２を形成することによって、第１のストラップ３６及び第２のストラップ３８の経路は、図１Ａ及び１Ｂに示されるような従来のワンピース型調整器１０のものとは異なってもよく、この従来の調整器１０は、同じ前及び裏の対向する面を通過する第１の開口部１２及び第２の開口部１４を備える。
【００２９】
別の言い方をすれば、従来のワンピース型ストラップ調整器１０中の第１の開口部１２及び第２の開口部１４は、従来の調整器１０の２つの表面又は側部のみから出入りするが、本明細書に記載される調整器３４は、前面４０、側面４６、及び背面４８等の調整器３４の少なくとも３つの異なる表面又は側部を出入りする第１の開口部５０、第２の開口部５２、及び第３の開口部５６等の開口部、又は第１の隙間６０及び第２の隙間６２等の隙間を備える。いくつかの実施形態では、調整器３４は、第１の隙間６０及び第２の隙間６４の各々が回転部、湾曲部、角度、屈曲部、又は方向の変更を含み得るという点において第２の隙間６４と同様に第１の隙間６０及び第２の隙間６４の両方が形成されるように修正されてもよい。したがって、調整器３４は、前面４０及び２つの対向する側面４６を出入りする開口部も備えることができる。他の実施形態では、調整器３４は、調整器の４つ以上の表面又は側部に開口部を備えてもよい。
【００３０】
図２Ｃに更に示されるように、第１のストラップ３６及び第２のストラップ３８は、調整器の背面４８から入り、前面４０で第１の隙間６０及び第１の開口部５０を出ることによって、第１の隙間６０に入り、調整器３４の上端４２の近くで第１の開口部５２を通過することができる。第１のストラップ３６及び第２のストラップ３８は、次いで、調整器の下端４４の近くで調整器３４の前面４０から第２の開口部５２及び第２の隙間６２に入る前に、次いで、バー５４において前面４０の上を通り接触する。第２の開口部５２に入った後、第１のストラップ３６及び第２のストラップ３８は、背面４８の反対側の第２の隙間６２の内面６６と接触するように、第２の隙間６２内で向きを変える、屈曲する、角度を付ける、さもなければ方向を変更してもよく、内面６６と背面４８との間の距離又はオフセットが調整器３４の少なくとも一部の厚さを画定する。第１のストラップ３６又は第２のストラップ３８が内面６６と接触した後、第１のストラップ３６及び第２のストラップ３８は次いで、調整器３４の下端４４で側面４６を通って第３の開口部５６を出てもよい。
【００３１】
調整器３４の前面４０及び背面４８は、平行又は実質的に平行であってもよいが、そうである必要はない。図２Ｃに示されるように、前面４０及び背面４８は、継続すると、上端４２、下端４４、又はその両方等で交わるように前面４０及び背面４８を導くだろう角度で形成されてもよい。いくつかの事例では、前面４０及び背面４８の一方又は両方は、多数の角度を含んでもよく、それらのうちの１つ以上は互いに一致し、平行である。例えば、調整器３４の背面４８は、背面４８の点又は線に対して、例えば第１の隙間６０で角度付けられるか、又は尖ってもよい。同様に、調整器３４の前面４０も、背面４８と同じ又は異なる場所で、例えばバー５４で角度付けられるか、又は尖ってもよい。前面４０及び底面４８の、互いに対する、並びに調整器３４を通過するか、若しくは調整器３４に連結される第１のストラップ３６及び第２のストラップ３８の位置に対する角度又は相対配向は、使用者３２に人間工学的及び所望のフィットを提供するために、ストラップの所望の配向に従って調整及び修正されてもよい。第１の開口部５０、第２の開口部５２、並びに第３の開口部５６の位置及び配向を含む調整器３４の相対角度は、組み合わせて、ストラップ調整の容易さ、又は第１のストラップ３６及び第２のストラップ３８に対して調整器３４の位置を動かす、若しくは変更するために使用者３２によって適用される必要がある力の量を決定する、調整器３４内の「困難な経路」を形成することができる。
【００３２】
図２Ｃに示されるように、角度θは、調整器３４の背面４８の多数の部分間の内角によって画定され得る。角度θは、上端４２における第１のストラップ３６及び第２のストラップ３８並びに調整器３４の下端４４における第１のストラップ３６及び第２のストラップ３８等、調整器３４に出入りするストラップの部分間の相対内角と一致し、それと同等若しくは実質的に同等であってもよい。いくつかの事例では、角度θは、１８０度未満、若しくは１５０度未満、若しくは１２０度未満、又は１２０〜１５０度の範囲であってもよい。
【００３３】
図２Ｃは、圧迫されているストラップの厚さ（Ｔｓｃ）が、ストラップが圧迫されていないときのストラップの厚さ（Ｔｓｕ）未満であることも示す。圧迫されたストラップの厚さＴｓｃは、調整器３４の側面４６内の第３の開口部５６によって圧迫されてもよく、式Ｔｓｃ＞Ｔｓｕで表され得る。第１のストラップ３６及び第２のストラップ３８の厚さＴｓｃを圧迫することによって、調整器３４並びに第１のストラップ３６及び第２のストラップ３８の間の滑動又は相対運動は、第１のストラップ３６及び第２のストラップ３８に張力が適用されないときであっても低減される、最小化される、又は排除されることができ、これは従来のワンピース型ストラップ調整器１０では、これまでに達成されていない。
【００３４】
図２Ｅ〜２Ｆは、調整器３４の追加の斜視図及び詳細を提供する。特に、図２Ｄは、調整器３４の前面４０及び側面４６の斜視図を示す。更に、図２Ｄは、前面４０内に形成される第２の開口部５２が、上面４０内に形成される第１の開口部５０よりも大きくてもよいことを示す。更に、調整器３４を通って直接下に、かつ調整器３４の背面４８を通って延在する開口部ではなく第２の開口部５２は、調整器３４で部分的に囲まれた箱状の形状を備える第２の隙間６２を形成することができる。図２Ｄは、滑らかな上面を任意に備え得る第１の開口部５０と第２の開口部５２とを分離するバー５４を更に示す。他の実施形態では、テクスチャ加工された、又は粗い表面が、バー５４の一部として使用又は形成されてもよい。図２Ｅは、図２Ｄで上に示されるものと反対の角度からの調整器３４の別の斜視図を示す。したがって、図２Ｅは、所望に応じてパターン加工又はテクスチャ加工され得る調整器の底面の更なる詳細を提供する調整器３４の背面４８及び側面４６の斜視図を示す。
【００３５】
図２Ｆは、多数の側面４６、前面４０、バー５４、第２の開口部５２、及び第３の開口部５６を示す調整器３４の別の斜視図を例示する。第３の開口部５６の高さＨ３等の第３の開口部５６の大きさ又は寸法は、第１のストラップ３６及び第２のストラップ３８に圧力を適用するのに十分小さく、ストラップが弛緩状態であり、張力状態にない場合であっても、第１のストラップ３６及び第２のストラップ３８の滑動を阻止することができる。更に、全ての他の開口部の大きさ又は寸法と同様の第３の開口部５６の大きさ又は寸法は、調整器３４の製造を可能にし、その制約を満たすのに十分大きく寸法決めされ得る。調整器３４は、ワンピース型調整器３４である単一の一体形成されたピース又は本体として調整器３４を形成するための成形プロセス、射出成形プロセス、又は他の成形プロセスを通して等、所望の製造プロセスを使用して製造され得る。調整器３４は、ポリカーボネート（ＰＣ）、ポリエチレン（ＰＥ）、ポリエチレンテレフタレート（ＰＥＴ）、ポリ塩化ビニル（ＰＶＣ）、ビニルニトリル（ＶＮ）、若しくは他の好適な材料を含む、金属、プラスチック、樹脂、ポリマー、アクリル、若しくは繊維を含む、任意の好適な材料又は材料の組み合わせで作製され得る。
【００３６】
図３Ａ〜３Ｅは、上述された調整器３４と類似のワンピース型滑動防止調整器又は調整器７４の第２の例示的実施形態に関する詳細を提供する。したがって、調整器３４に関して上で考察される同様の番号が付された要素及び特徴に関する詳細は、調整器７４に関して同様に適用可能であり得るが、しかしながら、簡略にするため、それらの詳細は以下で本明細書に繰り返されない。調整器７４は、調整器３４のように、滑動防止調整器と称されるが、多少の滑動又は相対運動が可能であり得る。本明細書で使用される場合、調整器７４に関して使用される滑動防止という用語は、調整器７４と第１のストラップ３６及び第２のストラップ３８との間の滑動又は相対運動が、従来のワンピース型ストラップ調整器１０と第１のストラップ２６及び第２のストラップ２８とに比べて最低限であるか、最小であるか、ごく僅かであるか、又は低減され得ることを意味することができる。調整器７４の特定の特徴により、第１のストラップ３６及び第２のストラップ３８は、従来のワンピース型ストラップ調整器１０の場合、並びに一定の張力が第１のストラップ３６及び第２のストラップ３８に適用されない場合の第１のストラップ２６及び第２のストラップ２８の場合のように、互いに対して又は調整器７４に対して緩んで動く傾向がない。
【００３７】
図３Ａは、第１の開口部５０、第２の開口部５２、バー５４、及び第３の開口部５６と一緒に前面４０及び多数の側面４６を示す調整器７４の斜視図を示す。調整器７４は、調整器３４のように、滑らかな表面又は粗い若しくはテクスチャ加工された表面を備えるバー５４を有して形成され得る。図３Ａは、バー５４が、バー５４と第１のストラップ３６又は第２のストラップ３８との間の摩擦若しくは抵抗、並びに調整の容易さ、又は調整器７４を通して第１のストラップ３６及び第２のストラップ３８を動かすために使用者３２によって適用される力の量を調整又は制御するために追加され得る起立部、リブ、隆起部、歯、溝、チャネル、突起部、窪み、若しくは他の特徴を含み得る粗い又はテクスチャ加工された表面７６を備える、調整器７４の非限定的な例を示す。テクスチャ加工された表面７６の高さ、面積、大きさ、又は量は、第１のストラップ３６及び第２のストラップ３８を動かすか、又は調整するために必要とされる力の量と正比例し得る。例えば、テクスチャ加工された表面７６のより大きい大きさ又は量は、調整器７４と通して第１のストラップ３６及び第２のストラップ３８を動かすか、又は調整するために、より大量の力を必要とし得る。
【００３８】
図３Ｂは、調整器７４の前面４０、並びに第１の開口部５０、テクスチャ加工された表面７６を備えるバー５４、及び第２の開口部５２を示す調整器７４の平面図を示す。調整器３４と同様に、調整器７４は、前面４０及び背面４８を完全に通って延在するように形成される第１の開口部５０を備えてもよく、一方第２の開口部５２は、前面４０を通過するが背面４８を通過しないように、調整器７４を完全にではなく部分的にのみ通って延在し得る。このため、調整器７４の内面６６は、図３Ｂに示されるように第２の開口部５２を通して見ることができる。したがって、調整器７４は、その両方が相対する前面と背面との間で調整器１０を完全に通って延在する開口部１２及び開口部１４のような２つの開放スロットを備える従来の調整器１０のような従来の調整器に対して異なり得る。
【００３９】
図３Ｂは、調整器７４の高さＨが、約２６ｍｍプラス若しくはマイナス最大１又は２ミリメートルの高さを含む２０〜３０ミリメートル（ｍｍ）の範囲であってもよいことも示す。第１の開口部５０の高さＨ１は、３．６ｍｍ又は約３．６ｍｍプラス若しくはマイナス最大１ミリメートルの高さを含む、２〜５ｍｍの範囲であってもよい。第２の開口部５２の高さＨ２は、３．４ｍｍ又は約３．４ｍｍプラス若しくはマイナス最大１ミリメートルの高さを含む、２〜５ｍｍの範囲であってもよい。
【００４０】
図３Ｃにおいて、図３Ｃは、調整器７４の下端４４を含む側面４６の側面投影図を示す。第２の開口部５２及び第３の開口部５６の一部も、図３Ｃに示される図において見ることができる。第２の開口部５２は、第１の開口部５０の幅Ｗ１並びに第３の開口部５６の幅Ｗ３と同等又は実質的に同等の幅Ｗ２を備える前面４０内に形成されて示される。いくつかの実施形態では、幅Ｗ２は、１４〜２３ｍｍの範囲、又は約１９ｍｍプラス若しくはマイナス１又は２ミリメートル未満であり得る。幅Ｗ１〜Ｗ３は、互いに同じ又は異なってもよく、調整器７４の全幅Ｗ未満の幅を備える。調整器７４の幅Ｗは、２１〜３０ｍｍの範囲、又は約２５．８ｍｍプラス若しくはマイナス１又は２ミリメートル未満の幅を含み得る。図３Ｃに示されるように、第３の開口部５６は、調整器７４の前面４０及び背面４８を塞ぐ第１のストラップ３６及び第２のストラップ３８の部分の上等、ストラップ側の反対の１つ以上の側部上等に第１のストラップ３６及び第２のストラップ３８の接触又は圧迫を提供することができる矩形、輪、環、又は他の好適な形状のような形成された外縁又は形状を備えてもよい。
【００４１】
図３Ｄは、第３の開口部５６の高さＨ３が示される調整器７４の投影図又は側面図を示す。高さＨ３は、約２〜６ｍｍの範囲、又は約３．５ｍｍプラス若しくはマイナス１又は２ｍｍ未満であってもよい。内角θを備える平坦ではない、又は角度付けられた背面４８も、調整器３４に関して上で記載される角度付けられた背面４８と同様に含まれ得る。
【００４２】
図３Ｅは、図３Ｂの平面図の反対側の調整器７４の平面図を示す。図３Ｅは、背面４８と、背面４８に露出される第１の隙間６０と、を示す。更に、上端４２と隙間６０との間の背面４８の一部は、バー５４のテクスチャ加工された表面７６と同様の粗い又はテクスチャ加工された表面７８を備えてもよい。テクスチャ加工された表面７８を含むことによって、使用者３２によって第１のストラップ３６又は第２のストラップ３８に適用される必要のある力の量は、第１のストラップ３６、第２のストラップ３８、及び調整器７４の間に所望の量の相対運動を実現するために調整され得る。
【００４３】
図４Ａ〜４Ｅは、ワンピース型滑動防止調整器、又は上述の調整器３４及び７４と同様の調整器８４の第３の例示的実施形態に関する詳細を提供する。したがって、調整器３４及び７４に関して上で考察される同様の番号が付された要素及び特徴に関する詳細は、調整器８４に関して同様に適用可能であり得るが、しかしながら、簡略にするため、それらの詳細は以下で本明細書に繰り返されない。調整器８４は、調整器３４及び７４のように、滑動防止調整器と称されるが、多少の滑動又は相対運動が可能であり得る。本明細書で使用される場合、調整器８４に関して使用される滑動防止という用語は、調整器８４と第１のストラップ３６及び第２のストラップ３８との間の滑動又は相対運動が、従来のワンピース型ストラップ調整器１０と第１のストラップ２６及び第２のストラップ２８とに比べて最低限であるか、最小であるか、ごく僅かであるか、又は低減され得ることを意味することができる。調整器８４の特定の特徴により、第１のストラップ３６及び第２のストラップ３８は、従来のワンピース型ストラップ調整器１０の場合、並びに一定の張力が第１のストラップ３６及び第２のストラップ３８に適用されない場合の第１のストラップ２６及び第２のストラップ２８の場合のように、互いに対して又は調整器８４に対して緩んで動く傾向がない。
【００４４】
以下に記載される図４Ａは、上面４０、多数の側面４６、第１の開口部５０、第２の開口部５２、バー５４、及び第３の開口部５６を示す調整器８４の斜視図である。バー５４は、第１の開口部５０と第２の開口部５２との間に配置されて示される。調整器８４のバー５４は、調整器３４及び調整器７４のバー５４と同様又は同一であってもよい。あるいは、調整器８４のバー５４は、バー５４を部分的又は完全に通ってバー５４の上面４０からバー５４の底面４８に延在し得るいくつかのバー開口部又は孔８６を含むことによっても、調整器３４及び調整器７４のバー５４とは異なり得る。更に、又はあるいは、バー５４は、バー開口部８６を形成するためのいくつかの垂直のスペーサ又は角度付けられた補強によって接続される多数のバー又は複数のバー５４として形成されてもよい。バー開口部８６は、第１のストラップ３６又は第２のストラップ３８のいずれかを受容するのに十分大きい必要はないが、調整の容易さ、又は第１のストラップ３６、第２のストラップ３８、若しくは両方、及び調整器８４を互いに対して動かすために適用される必要のある力の量を修正することができる粗い又はテクスチャ加工された表面７６と同様の粗い又はテクスチャ加工された表面として動作することができる。
【００４５】
図４Ｂは、図４Ｅに示される調整器８４の断面図と同様の角度で、又は位置にある調整器８４を示す調整器８４の側面図を提供する。図４Ｂは、第１のストラップ３６又は第２のストラップ３８と直接相互作用しないが、調整器８４を取り扱う使用者の指等の使用者と調整器８４との間の相互作用を改善することができる溝、チャネル、若しくは粗いテクスチャ等の追加の機能的要素、設計要素、又は両方が調整器８４に追加されてもよいことも示す。
【００４６】
図４Ｃは、第１の開口部５０及び第２の開口部５２のいくつかの又は非限定的な例示的寸法と一緒に調整器８４の上面図を示す。第１の開口部５０の高さＨ１は、３．２ｍｍ又は約３．２ｍｍプラス若しくはマイナス１又は２ミリメートル未満の高さを含む１．５〜５ｍｍの範囲であってもよい。第２の開口部５２の高さＨ２は、第１の開口部５０の高さＨ１と同じ、類似、又は異なってもよい。例えば、第２の開口部Ｈ２の高さＨ２は、６．６ｍ又は約６．６ｍｍプラス若しくはマイナス１又は２ミリメートル未満の高さを含む、４〜９ｍｍの範囲であってもよい。第１の開口部５０の幅Ｗ１は、１８．１ｍｍ又は約１８．１ｍｍプラス若しくはマイナス１又は２ミリメートル未満の高さを含む、１０〜３０ｍｍ又は１５〜２１ｍｍの範囲であってもよい。第２の開口部５２の幅Ｗ２は、第１の開口部５０の幅Ｗ１と同じ、類似、又は異なってもよい。例えば、第２の開口部５２の幅Ｗ２は、１８．４ｍｍ又は約１８．４ｍｍプラス若しくはマイナス１又は２ミリメートル未満の幅を含む、１０〜３０ｍｍ又は１５〜２１ｍｍの範囲の範囲であってもよい。
【００４７】
図４Ｄは、図３Ｃに示される図と同様の図を示す。図４Ｄは、下端４４、側面４６、及び前面４０の一部を含む、調整器８４の投影図も示す。図４Ｄは、第３の開口部５６のいくつかの又は非限定的な例示的寸法を更に示す。第３の開口部５６の高さＨ３は、それぞれ、第１の開口部５０及び第２の開口部５２の高さＨ１及びＨ２と同じ、類似、又は異なってもよい。例えば、第３の開口部の高さＨ３は、２．５若しくは２．９ｍｍ又は約２．５若しくは２．９ｍｍプラス若しくはマイナス１又は２ミリメートル未満の高さを含む、１〜４ｍｍの範囲であってもよい他の実施形態では、高さＨ３は、張力が第１のストラップ３６及び第２のストラップ３８にほとんど又は全く適用されないときに、第１のストラップ３６及び第２のストラップ３８が調整器８４に対して摺動又は移動することを阻止するように第１のストラップ３６及び第２のストラップ３８の多少の圧迫を可能にする、又は提供する任意の高さであってもよい。第３の開口部５６の幅Ｗ３は、それぞれ、第１の開口部５０及び第２の開口部５２の幅Ｗ１及びＷ２と同じ、類似、又は異なってもよい。例えば、第３の開口部５６の幅Ｗ３は、１８．７ｍｍ又は約１８．７ｍｍプラス若しくはマイナス１又は２ミリメートル未満の幅を含む、１０〜３０ｍｍ又は１５〜２１ｍｍの範囲の範囲であってもよい。図４Ｄに示されるように、第２の端部において第２の開口部は、ストラップの４つの側部上又はストラップの２つの側部上に接触を提供し、調整器の上面及び底面の対向部からストラップに圧力を適用することができる輪又は環として構成されてもよい。
【００４８】
以下に示される図４Ｅは、調整器８４、第１のストラップ３６、及び第２のストラップ３８の断面側面図である。図４Ｅは、図２Ｃに示される調整器３４の断面側面図と同様であるが、図４Ｅは、図４Ｅの調整器８４の上端４２が図の右に示され、調整器８４の下端４４が図の左に示されるように、図２Ｃの調整器３４に対して回転される調整器８４を示す。図４Ｅは、調整器８４の第１のストラップ３６及び第２のストラップ３８が、図２Ｃにおいてそうであるように緊張状態で示されないという点においても図２Ｃとは異なる。図２Ｃにおいて緊張状態で示される第１のストラップ３６及び第２のストラップ３８は、ヘルメット３０又は他の装置が使用者３２によって装着されており、第１のストラップ３６及び第２のストラップ３８がヘルメット３０又は他の装置を使用者３２に保持するために使用されている状態の代表例である。
【００４９】
図４Ｅにおいて緊張状態ではなく示される第１のストラップ３６及び第２のストラップ３８は、ヘルメット３０又は装備他のピースが使用者３２によって装着若しくは使用されていない、又は使用の合間にある状態のストラップの代表例である。示されるように、第１のストラップ３６及び第２のストラップ３８は、調整器８４の第３の開口部５６から出るときに、第１のストラップ３６及び第２のストラップ３８が圧迫され得るように、調整器８４によって一緒に挟持されてもよい。第３の開口部５６は、非圧迫又は自由状態にある第１のストラップ３６及び第２のストラップ３８の組み合わせた厚さと同等又はそれ未満である高さＨ３を備えてもよい。このため、第１のストラップ３６及び第２のストラップ３８が第３の開口部５６を通過するときに、調整器８４は、ストラップ８４が緊張状態ではない場合であっても、第１及び第２のストラップが調整器８４に対して動かないように、第３の開口部５６の縁部で第１のストラップ３６及び第２のストラップ３８を挟持又は圧迫することができる。これまで、図１Ａ及び１Ｂにおいて上に示される調整器３４のような従来のワンピース型調整器は、第１及び第２のストラップが緊張状態ではないときに、第１のストラップ２６、第２のストラップ２８、及び調整器１０の間に生じるだろう移動のため、使用の間に自分で調整することが既知であった。しかしながら、図４Ｅに例示されるように、調整器３４及び７４と同様に調整器８４の構造及び形態は、ヘルメット３０が使用者３２によって装着されるとき等、ストラップが弛緩状態であるか、緊張状態ではないかを問わず、ストラップと調整器８４との間の相対運動を阻止するように第３の開口部５６で生じる第１のストラップ３６及び第２のストラップ３８の挟持又は圧迫により、ワンピース型ストラップ調整器及びストラップの頻繁な再調整の必要性を排除することができる。
【００５０】
したがって、本明細書に開示されるワンピース型滑動防止調整器は、調整器の製造のため、並びにヘルメットを使用者の頭部に取着するために使用されるストラップ等のストラップの連結及び整列の両方のための、従来のワンピース型調整器及び２ピース型調整器等のマルチピース型調整器に対するいくつかの利点を提供する。第１に、ワンピース型滑動防止調整器は、単一ピースを含むため、簡素で、耐久性があり、及び作製が容易な設計を提供する。ワンピース型滑動防止設計は、マルチピース型調整器よりも小さい大きさを有し、多数の部品の取着のための余分なピースを有さず、したがって作製又は製造がより容易であり、より安価で作製することができ、より損傷及び破損しにくい。一方、ツーピース型及びマルチピース型設計は、中心バーを欠くことがあり、ワンピース型滑動防止調整器よりも高価であり、頑丈ではない。
【００５１】
更に、ワンピース型滑動防止調整器は、特に、典型的には従来の設計を好むＢＭＸライディング及びレーシングの使用者のような保守的な使用者にとって望ましい美観であるワンピース型調整器に存在するような更なる利点を有する。このため、ワンピース型滑動防止調整器は、マルチピース型調整器には存在しない従来のワンピース型調整器と同様の従来の美観を備える更なる利益を提供し、同時に、従来のワンピース型調整器では利用可能ではないストラップと調整器との間の滑動及び相対運動を阻止する追加の機能性も提供する。
【００５２】
その上、成形プロセスでプラスチックのワンピース型滑動防止調整器を形成することによって、第３の開口部の高さは、ストラップ又はウェビングが弛緩状態であるときに、第３の開口部を通過するストラップ又はウェビングの厚さ未満であるように形成されてもよい。第３の開口部の低減された厚さは、摩擦の増加を提供し、ストラップ若しくはウェビングを動かすか、又は調整するために必要とされる力を調整する。任意の隆起部が、調整器に対してストラップ若しくはウェビングを動かすか、又は調整するために必要とされる摩擦及び力を調整するために、中央のバーの上、外側のバーの上、又は第１の開口部、第２の開口部、若しくは第３の開口部のうちの１つ以上の中若しくは周り等、ストラップの経路に沿う種々の点で形成されてもよい。同様に、ストラップの角度、回転、及び経路は、調整器に対してストラップ若しくはウェビングを動かすか、又は調整するために必要とされる摩擦及び力を調整する所望の困難な経路又は形状を創出するために、設計及び制御されてもよい。
【００５３】
第２の開口部及び第３の開口部は一緒になって、調整器の背面と反対側の表面を含む隙間の内面によって、少なくとも部分的に形成又は画定され得る第２の隙間を形成することができる。第２の開口部及び第３の開口部の位置付けに対する第２の隙間の形状は、ストラップが、捻じれ、回転、又は屈曲を伴わずに上側及び下側等の調整器の相対する側の間を直接通過することができる従来の開放設計とは対照的に、隙間を通過する間に第１のストラップ及び第２のストラップを捻じれさせる、回転させる、又は屈曲させることがある。第２の隙間の内面を使用して、ストラップを第３の開口部に方向付けて、およそ９０度プラス若しくはマイナス３０度の回転又は湾曲等、第２の隙間内で回転又は湾曲させることを補助することができる。他の実施形態では、内面を省き、第２の隙間を画定するより小さい表面積の調整器を有することによって、調整器の形成により少ない材料が使用され得る。
【００５４】
上記の実施例、実施形態、及び実現例は例に言及するが、当業者であれば、他のヘルメット及び製造装置、並びに実施例が、方法、システム、又は実現例の意図される動作にふさわしい実質的に任意の構成要素が利用され得るように、提供されるものと組み合わされるか、又は代替され得ることを理解すべきである。したがって、例えば、特定の構成要素例が開示され得るが、そのような構成要素は、実現例の意図される目的、方法、及び／又はシステムにふさわしい任意の形状、大きさ、スタイル、タイプ、モデル、バージョン、クラス、グレード、測定値、濃度、材料、重量、数量等で構成され得る。上の説明がヘルメット用のオンピース型滑動防止ストラップ調整器の特定の実施形態を指す場合、その趣旨から逸脱することなく、いくつかの修正が行われ得ること、並びにこれらの実施形態及び実現例が他のギア及び装備技術にも同様に適用され得ることが容易に明らかとなるはずである。したがって、開示される主題は、本開示の趣旨及び範囲内である全てのそのような変更、修正、及び変形、並びに当業者の知識を包含することが意図される。したがって、前に開示された実施形態は、全ての点において例示であり、制限ではないと見なされる。
【図２Ａ】
2017509397.tif 000003
【図２Ｂ】
2017509397.tif 000004
【図２Ｃ】
2017509397.tif 000005
【図２Ｄ】
2017509397.tif 000006
【図２Ｅ】
2017509397.tif 000007
【図２Ｆ】
2017509397.tif 000008
【図３Ａ】
2017509397.tif 000009
【図３Ｂ】
2017509397.tif 000010
【図３Ｃ】
2017509397.tif 000011
【図３Ｄ】
2017509397.tif 000012
【図３Ｅ】
2017509397.tif 000013
【図４Ａ】
2017509397.tif 000014
【図４Ｂ】
2017509397.tif 000015
【図４Ｃ】
2017509397.tif 000016
【図４Ｄ】
2017509397.tif 000017
【図４Ｅ】
2017509397.tif 000018
【図１Ａ】
2017509397.tif 000019
【図１Ｂ】
2017509397.tif 000020
【国際調査報告】
2017509397.tif 000021